Podtech/llm-jp-corpus-v4-ja_patent huggingface dataset:
【手続補正書】
【提出日】平成29年8月14日(2017.8.14)
【手続補正１】
【補正対象書類名】特許請求の範囲
【補正対象項目名】全文
【補正方法】変更
【補正の内容】
【特許請求の範囲】
【請求項１】
対象における1種以上の遺伝子プロモーターのDNAメチル化を調節する方法であって、
下式の化合物:
【化１】
2016529257.tif 000001
又はその医薬として許容し得る塩を含む有効量の組成物を対象に投与することを含む、前記方法。
【手続補正書】
【提出日】平成29年8月4日(2017.8.4)
【手続補正１】
【補正対象書類名】特許請求の範囲
【補正対象項目名】全文
【補正方法】変更
【補正の内容】
【特許請求の範囲】
【請求項１】
妊娠率を向上し、そして／又は、精液／精子、又は、胚に対する母性の同種反応性を低下させ、そして／又は、胚の移植前、又は、授精前の、雌の免疫寛容の子宮環境を提供するために使用される、エオタキシン（Eotaxin）及びランテス（RANTES）を含む組成物。
【請求項２】
TNF-α、TGF-β、ＩＬ−１２、ＭＣＰ−１、ＭＩＰ、ＩＬ−１７、ＩＬ−９及びＧＭ−ＣＳＦからなる群から選択された８つの付加的なサイトカインの何れか１つ又は２以上を更に含む、請求項１に記載した組成物。
【請求項３】
前記ＩＬ−１２は、ＩＬ−１２ｐ４０又はＩＬ−１２ｐ７０の何れか一方であり、及び前記ＭＩＰは、ＭＩＰ−１ａ又はＭＩＰ−１ｂの何れか一方である、請求項２に記載した組成物。
【請求項４】
ＩＬ−１α、ＩＬ−１β、ＩＬ−１ｒａ、ＩＬ−２ｒａ、ＩＬ−２、ＩＬ−３、ＩＬ−４、ＩＬ−５、ＩＬ−６、ＩＬ−７、ＩＬ−８、ＩＬ−１０、ＩＬ−１３、ＩＬ−１５、ＩＬ−１６、ＩＬ−１８、ＦＧＦ、Ｇ−ＣＳＦ、ＩＦＮ−α２、ＩＦＮ−γ、ＩＰ−１０、ＰＤＧＦ、ＶＥＧＦ、ＣＴＡＣＫ、ＫＣ、ＧＲＯα、ＨＧＦ、ＩＣＡＭ−１、ＬＥＰＴＩＮ、ＬＩＦ、ＭＣＰ−３、Ｍ−ＣＳＦ、ＭＩＦ、ＭＩＧ、β−ＮＧＦ、ＳＣＦ、ＳＣＧＦ−β、ＳＤＦ−１α、ＴＮＦ−β、ＴＲＡＩＬ、ＶＥＧＦ及びＶＣＡＭ−１からなる群から選択された１又は２以上の付加的なサイトカインを更に含む、請求項１から４の何れか１つに記載した組成物。
【請求項５】
妊娠率を向上し、そして／又は、精液／精子、又は、胚、又は、他の組織同種移植片に対する母性の同種反応性を低下させ、そして／又は、胚の移植前、又は、授精前の、雌の免疫寛容の子宮環境を提供するために使用される、膣用カプセル、膣用ジェル、膣用錠剤、膣用パウダー、膣用溶液、膣用ペッサリー、膣用カップ、膣用スポンジ、膣用エアロゾル、又は、膣用フォーム若しくはスプレー状の請求項1から４の何れか１つに記載した医薬組成物。
【請求項６】
有効成分が、精液において認められる生理学的範囲を超えて、又は、その範囲内において原位置（イン・サイチュ）で放出される、請求項5に記載した医薬組成物。
【請求項７】
アジュバント、賦形剤又はキャリアを更に含む、請求項５から６の何れか一方に記載した医薬組成物。
【請求項８】
急速投与、制御された投与、連続投与又はパルス投与用の、請求項５から７の何れか１つに記載した医薬組成物。
【請求項９】
子宮への受け入れを容易にするために使用される、請求項１から４の何れか１つに記載した組成物を含む、経粘膜膣投与用ペッサリー。
【請求項１０】
必要に応じてマウス又はラットである齧歯類の子宮への受け入れを容易にするために使用される、請求項９に記載のペッサリー。
【請求項１１】
妊娠率を向上し、そして／又は、精液／精子、又は、胚、又は、他の組織同種移植片に対する母性の同種反応性を低下させ、そして／又は、胚の移植前、又は、授精前の、雌の免疫寛容の子宮環境を提供するために使用される、請求項１から８の何れか１つに記載した前記組成物、又は、請求項９から１０の何れか１つに記載した前記ペッサリーを含む複数の膣投与手段と、前記膣投与手段を雌のレシピエントの膣に挿入するための装置と、必要に応じて、そのための取扱説明書とを含むパーツ一式。
【手続補正書】
【提出日】平成29年6月19日(2017.6.19)
【手続補正１】
【補正対象書類名】特許請求の範囲
【補正対象項目名】請求項１０
【補正方法】変更
【補正の内容】
【請求項１０】
請求項１乃至９の何れか１項に記載の使用のための哺乳動物乳オステオポンチンを含むことを特徴とする栄養組成物。
【手続補正書】
【提出日】平成29年6月23日(2017.6.23)
【手続補正１】
【補正対象書類名】特許請求の範囲
【補正対象項目名】全文
【補正方法】変更
【補正の内容】
【特許請求の範囲】
【請求項１】
ＣＴＬＡ−４およびＣＤ４０の両方に特異的に結合可能であるポリペプチドであって、前記ポリペプチドは、Ｂ１およびＢ２を含み、
Ｂ１は、ＣＤ４０に特異的な抗体、またはその抗原結合性断片であり、そしてＣＤ４０アゴニストであり、
Ｂ２は、
ｉ）配列番号３のアミノ酸配列、または
ｉｉ）前記結合性ドメインが、野生型ヒトＣＤ８６よりも高い親和性でヒトＣＴＬＡ−４と結合するという条件で、配列番号３のアミノ酸配列と比較して少なくとも１つのアミノ酸が変化しているアミノ酸配列
を含むか、またはそれらからなる、ＣＴＬＡ−４に特異的なポリペプチド結合性ドメインである、
ポリペプチド。
【請求項２】
Ｂ１が、少なくとも１つの重鎖（Ｈ）および少なくとも１つの軽鎖（Ｌ）を含み、Ｂ２が、前記少なくとも１つの重鎖（Ｈ）または前記少なくとも１つの軽鎖（Ｌ）に結合している、請求項１に記載のポリペプチド。
【請求項３】
Ｂ１が、
−  少なくとも１つの重鎖（Ｈ）および少なくとも１つの軽鎖（Ｌ）を含み、Ｂ２が、前記重鎖もしくは前記軽鎖のいずれかに結合しており、またはＢ１が、
−  ２つの同一の重鎖（Ｈ）および２つの同一の軽鎖（Ｌ）を含み、Ｂ２が、両方の重鎖もしくは両方の軽鎖に結合している、
請求項２に記載のポリペプチド。
【請求項４】
Ｎ−Ｃ方向に書かれた以下の式：
（ａ）Ｈ−（Ｘ）ｎ−Ｂ２、
（ｂ）Ｂ２−（Ｘ）ｎ−Ｈ、
（ｃ）Ｌ−（Ｘ）ｎ−Ｂ２、または
（ｄ）Ｂ２−（Ｘ）ｎ−Ｌ
（式中、Ｘはリンカーであり、ｎは０または１である）
により構成されるポリペプチド、
または式（ａ）から（ｄ）のうちのいずれか１つにより構成されるポリペプチドからなるポリペプチドを含む、請求項１から３のいずれか一項に記載のポリペプチド。
【請求項５】
Ｘが、アミノ酸配列ＳＧＧＧＧＳＧＧＧＧＳ、ＳＧＧＧＧＳＧＧＧＧＳＡＰ、ＮＦＳＱＰ、ＫＲＴＶＡまたは（ＳＧ）ｍを有し、式中、ｍ＝１から７であるペプチドである、請求項４に記載のポリペプチド。
【請求項６】
Ｂ２（ｉｉ）の前記アミノ酸配列における１個、２個、３個、４個、５個、６個、７個、８個、９個または１０個のアミノ酸が、配列番号３のアミノ酸配列と比較して置換されている、請求項１から５のいずれか一項に記載のポリペプチド。
【請求項７】
前記第１の結合性ドメインの前記アミノ酸配列における少なくとも１つの前記アミノ酸置換が、位置１２２におけるものである、請求項６に記載のポリペプチド。
【請求項８】
前記アミノ酸配列がまた、位置３２、４８、４９、５４、７４、７７、７９、１０３、１０７、１１１、１１８、１２０、１２１、１２５、１２７および１３４のうちの少なくとも１つにおいて置換されている、請求項７に記載のポリペプチド。
【請求項９】
各位置における前記置換が、Ｆ３２Ｉ、Ｑ４８Ｌ、Ｓ４９Ｔ、Ｖ５４Ｉ、Ｖ６４／Ｉ、Ｋ７４Ｉ／Ｒ、Ｓ７７Ａ、Ｈ７９Ｄ／Ｓ／Ａ、Ｋ１０３Ｅ、Ｌ１０７Ｉ／Ｆ／Ｒ、Ｉ１１１Ｖ、Ｔ１１８Ｓ、Ｍ１２０Ｌ、Ｉ１２１Ｖ、Ｒ１２２Ｋ／Ｎ、Ｑ１２５Ｅ、Ｎ１２７Ｓ／ＤおよびＡ１３４Ｔから選択される、請求項７または８に記載のポリペプチド。
【請求項１０】
Ｂ２の前記アミノ酸配列が、配列番号８、６、７および９から２４のうちのいずれかの１つから選択されるアミノ酸配列を含むか、またはそれからなる、請求項１から９のいずれか一項に記載のポリペプチド。
【請求項１１】
Ｂ１が、表Ａに示す抗体の重鎖ＣＤＲ配列および／または表Ａに示す抗体の軽鎖ＣＤＲ配列を含む、請求項１から１０のいずれか一項に記載のポリペプチド。
【請求項１２】
Ｂ１が、ヒトＦｃ領域または前記領域のバリアントを含み、前記領域が、ＩｇＧ１、ＩｇＧ２、ＩｇＧ３またはＩｇＧ４領域、好ましくはＩｇＧ１またはＩｇＧ４領域である、請求項１から１１のいずれか一項に記載のポリペプチド。
【請求項１３】
配列番号５６から６０または１１０から１１４のうちのいずれか１つのアミノ酸配列を含むか、またはそれからなる、請求項１から１２のいずれか一項に記載のポリペプチド。
【請求項１４】
個体における疾患または状態を治療または予防するための方法における使用のための、請求項１から１３のいずれか一項に記載のポリペプチド。
【請求項１５】
疾患または状態が癌である、請求項１４に記載のポリペプチド。
【請求項１６】
前記方法が、前記ポリペプチドを全身にまたは局所に、たとえば腫瘍の部位にまたは腫瘍流入領域リンパ節内に投与することを含む、請求項１５に記載のポリペプチド。
【請求項１７】
癌が、前立腺癌、乳癌、結腸直腸癌、膵臓癌、卵巣癌、肺癌、子宮頚癌、横紋筋肉腫、神経芽細胞腫、多発性骨髄腫、白血病、急性リンパ芽球性白血病、黒色腫、膀胱癌、胃癌、頭頸部癌、肝臓癌、皮膚癌、リンパ腫またはグリア芽腫である、請求項１５または１６に記載のポリペプチドまたは方法。
【請求項１８】
請求項１から１３のいずれか一項に記載のポリペプチドをコードするポリヌクレオチド。
【請求項１９】
追加の治療的部分にコンジュゲートしている、請求項１から１３のいずれか一項に記載のポリペプチド。
【請求項２０】
請求項１から１３のいずれか一項に記載のポリペプチドおよび少なくとも１種の薬学的に許容される希釈剤または担体を含む組成物。
【手続補正書】
【提出日】平成29年7月26日(2017.7.26)
【手続補正１】
【補正対象書類名】特許請求の範囲
【補正対象項目名】全文
【補正方法】変更
【補正の内容】
【特許請求の範囲】
【請求項１】
三価または四価シアル酸誘導体であって、式ＡまたはＢによる３つまたは４つの基が結合しているコア部分
【化１】
2016529269.tif 000001
［式中、
「Ｘ」は、Ｏ（酸素）、またはＳ（硫黄）であり、
Ｒ１は、Ｃ１〜３アルキルであり、
整数「ｎ１」は２から８であり、
整数「ｎ２」は１から８であり、
波線は前記コア部分との結合点を示す］
を、遊離塩基、その非荷電プロトン化形態の酸、両性イオン、薬学的に許容される付加塩、溶媒和物、またはその塩の溶媒和物として含み、
前記コア部分が、式ＩＩからＶ
【化２】
2016529269.tif 000002
［式中、
部分ＩＩと結合している基が式Ａによる基であるならば、式ＩＩ中の整数「ｍ１」は１から８であり、
前記部分ＩＩと結合している基が式Ｂによる基であるならば、前記式ＩＩ中の整数「ｍ１」は２から８であり、
整数「ｍ２」は１から８であり、
波線は、式ＡまたはＢによる基との結合点を示す］
のいずれか１つによる部分である、
前記シアル酸誘導体。
【請求項２】
「Ｘ」がＯ（酸素）であり、Ｒ１がメチルである、請求項１に記載のシアル酸誘導体。
【請求項３】
整数「ｎ１」が２から３であり、整数「ｎ２」が１、２または３である、請求項１または２に記載のシアル酸誘導体。
【請求項４】
前記基が式Ａによる基である、請求項１から３のいずれか一項に記載のシアル酸誘導体。
【請求項５】
前記基が式Ｂによる基である、請求項１から３のいずれか一項に記載のシアル酸誘導体。
【請求項６】
前記誘導体のその遊離形態での分子量が、１，５００Ｄａ以下である、請求項１から５のいずれか一項に記載のシアル酸誘導体。
【請求項７】
前記コア部分が式（ＩＩ）による部分である、請求項１から６のいずれか一項に記載のシアル酸誘導体。
【請求項８】
整数「ｍ１」が１から３である、請求項７に記載のシアル酸誘導体。
【請求項９】
トリス（（２−Ｏ−（５−Ｎ−アセトアミド−３，５−ジデオキシ−Ｄ−グリセロ−α−Ｄ−ガラクト−２−ノヌロピラノシロン酸）−２−オキソエチル−１Ｈ−１，２，３−トリアゾール−４−イル）メチル）アミン；
トリス（（３−Ｏ−（５−Ｎ−アセトアミド−３，５−ジデオキシ−Ｄ−グリセロ−α−Ｄ−ガラクト−２−ノヌロピラノシロン酸）−３−オキソプロピル−１Ｈ−１，２，３−トリアゾール−４−イル）メチル）アミン；
トリス（（２−Ｏ−（５−Ｎ−プロパノイルアミド−３，５−ジデオキシ−Ｄ−グリセロ−α−Ｄ−ガラクト−２−ノヌロピラノシロン酸）−２−オキソエチル−１Ｈ−１，２，３−トリアゾール−４−イル）メチル）アミン；  
トリス（（３−Ｏ−（５−Ｎ−プロパノイルアミド−３，５−ジデオキシ−Ｄ−グリセロ−α−Ｄ−ガラクト−２−ノヌロピラノシロン酸）−３−オキソプロピル−１Ｈ−１，２，３−トリアゾール−４−イル）メチル）アミン；
トリス（（４−（２−Ｏ−（５−Ｎ−アセトアミド−３，５−ジデオキシ−Ｄ−グリセロ−α−Ｄ−ガラクト−２−ノヌロピラノシロン酸））−２−オキソメチル−１Ｈ−１，２，３−トリアゾール−１−イル）エチル）アミン；および
トリス（（４−（２−Ｏ−（５−Ｎ−アセトアミド−３，５−ジデオキシ−Ｄ−グリセロ−α−Ｄ−ガラクト−２−ノヌロピラノシロン酸））−２−オキソエチル−１Ｈ−１，２，３−トリアゾール−１−イル）エチル）アミン
からなる群から選択される、請求項１から８のいずれか一項に記載のシアル酸誘導体。
【請求項１０】
純粋な立体異性体として、または前記化合物を含むアノマー混合物中に存在し、前記アノマー混合物中でα−アノマーが優勢である、請求項１から９のいずれか一項に記載のシアル酸誘導体。
【請求項１１】
請求項１から１０のいずれか一項に記載のシアル酸誘導体と、少なくとも１つの薬学的な許容される添加剤とを含む、眼への投与用の医薬組成物。
【請求項１２】
０．００１から１０ｍＭの請求項１から１０のいずれか一項に記載のシアル酸誘導体を含む水性組成物であって、前記水性組成物が少なくとも９０ｗｔ％の水分含有量を有する、請求項１１に記載の医薬組成物。
【請求項１３】
前記水性組成物が、等張溶液となるようにＮａＣｌを含む、請求項１２に記載の医薬組成物。
【請求項１４】
前記水性組成物が緩衝化されている、請求項１２または１３に記載の医薬組成物。
【請求項１５】
前記水性組成物が約６．５から８のｐＨを有する、請求項１４に記載の医薬組成物。
【請求項１６】
療法において使用するための、請求項１から１０のいずれか一項に記載のシアル酸誘導体、または請求項１１もしくは１５のいずれか一項に記載の医薬組成物。
【請求項１７】
ウイルスに感染する細胞の細胞表面上に存在する末端シアル残基と結合する前記ウイルスによって引き起こされる眼感染の治療および／または予防において使用するための、請求項１から１０のいずれか一項に記載のシアル酸誘導体、または請求項１１もしくは１５のいずれか一項に記載の医薬組成物。
【請求項１８】
前記感染が、ＨＡｄＶ−８、ＨＡｄＶ−１９、ＨＡｄＶ−３７、ＨＡｄＶ−５３、ＨＡｄＶ−５４およびＨＡｄＶ−５６からなる群から選択されるウイルスによって引き起こされる、請求項１７に記載のシアル酸誘導体または医薬組成物。
【請求項１９】
前記感染が流行性角結膜炎である、請求項１７または１８に記載のシアル酸誘導体または医薬組成物。
【手続補正書】
【提出日】平成29年8月28日(2017.8.28)
【手続補正１】
【補正対象書類名】特許請求の範囲
【補正対象項目名】全文
【補正方法】変更
【補正の内容】
【特許請求の範囲】
【請求項１】
ポリ（ＡＤＰ−リボース）ポリメラーゼ（ＰＡＲＰ）酵素の阻害剤のナノ粒子製剤であって、前記製剤は、水性媒体中の脂質ベシクルの懸濁物からなり、脂質ベシクルは、正の表面電荷を有し、平均粒径が５０ｎｍ〜２００ｎｍであり、ＰＡＲＰ阻害剤を含有し、ＰＥＧを結合させた脂質モイエティからなる。
【請求項２】
ＰＡＲＰ阻害剤が、オラパリブ、ヴェリパリブ、ルカパリブ、イニパリブ、ＢＭＮ−６７３、３−アミノベンズアミド、ＭＥ０３２８、ＰＪ３４ ＨＣｌ、 ＡＧ−１４３６１、 ＩＮＯ−１００１、 ＵＰＦ―１０６９、 ＡＺＤ−２４６１および Ａ−９６６４９２からなる群から選ばれ、ＰＡＲＰ阻害剤が、オラパリブであり、前記脂質ベシクル内のオラパリブの効果的濃度が４００μＭ（ミクロモーラー）〜２０ｍＭ（ミリモーラー）の範囲にあり、ＰＡＲＰ阻害剤がＢＮＭ−６７３であり、前記脂質ベシクル内のＢＮＭ−６７３の効果的濃度が５０ｎＭ（ナノモーラー）〜１μＭ（ミクロモーラー）の範囲にある、請求項１のナノ粒子製剤。
【請求項３】
前記脂質ベシクル内に追加の医薬品を含み、前記追加の医薬品が、シスプラチン、テモゾロミド、ゲムシタビン、ドキソルビシン、ＰＩ３Ｋ阻害剤、ＭＥＫ阻害剤、ＡＴＭ阻害剤、またはその他の抗癌剤である、請求項１のナノ粒子製剤。
【請求項４】
前記脂質ベシクルが、ｐＨ７．４において正荷電する脂質からなり、前記正荷電脂質が、N-[1-(2,3-ジオレオイロキシ)プロピル] -N,N,N-トリメチルアンモニウムメチル硫酸塩（ＤＯＴＡＰ）である、請求項１のナノ粒子製剤。
【請求項５】
前記脂質ベシクルの表面電位が、ｐＨ７．４において＋１５ｍＶ〜＋４０ｍＶである、請求項１のナノ粒子製剤。
【請求項６】
ＰＥＧ化した脂質が、１，２−ジステアロイル−ｓｎ−グリセロ―３−ホスホエタノールアミン−Ｎ−［アミノ（ポリエチレングリコール）］（ＤＳＰＥ−ＰＥＧ）であり、ＤＳＰＥ−ＰＥＧ２０００を含む、請求項１のナノ粒子製剤。
【請求項７】
前記脂質ベシクルが、ジパルミトイルホスファチジルクロリン（ＤＰＰＣ）およびコレステロールからなり、ＤＰＰＣ：コレステロールのモル比が１：７〜１：４である、請求項１のナノ粒子製剤。
【請求項８】
前記脂質ベシクルが、ＤＰＰＣ、ＤＯＴＡＰ、コレステロール、およびＤＳＰＥ−ＰＥＧ２０００を含み、ＤＰＰＣ、ＤＯＴＡＰ、コレステロール、およびＤＳＰＥ−ＰＥＧ２０００のモル比が、１〜８モルのＤＰＰＣ：０．０５〜１モルのＤＯＴＡＰ：０．５〜２モルのコレステロール：０．１〜５モルのＤＳＰＥ−ＰＥＧ２０００であるか、又はＤＰＰＣ、ＤＯＴＡＰ、コレステロール、およびＤＳＰＥ−ＰＥＧ２０００のモル比が、５．４モルのＤＰＰＣ：０．２５モルのＤＯＴＡＰ：０．７８モルのコレステロール：０．１４モルのＤＳＰＥ−ＰＥＧ２０００であり、且つＰＡＲＰ阻害剤がオラパリブであるか、又はＤＰＰＣ、ＤＯＴＡＰ、コレステロール、およびＤＳＰＥ−ＰＥＧ２０００のモル比が、１．４モルのＤＰＰＣ：０．０９モルのＤＯＴＡＰ：０．７８モルのコレステロール：０．１１モルのＤＳＰＥ−ＰＥＧ２０００であり、且つＰＡＲＰ阻害剤がＢＭＮ−６７３である、請求項１のナノ粒子製剤。
【請求項９】
腫瘍を有する被験体への製剤の静脈内注射後の腫瘍細胞へのＰＡＲＰ阻害剤の選択的送達が可能である、請求項１に記載のナノ粒子製剤。
【請求項１０】
前記脂質ベシクルがさらに腫瘍細胞に結合する標的モイエティを含む、請求項１のナノ粒子製剤。
【請求項１１】
ＰＡＲＰ阻害剤の徐放性製剤であって、当該製剤は、ＰＡＲＰ阻害剤を含む複数の脂質ベシクルを含み、前記脂質ベシクルは、生体分解性のポリマーからなるマトリックスに埋め込まれるものであり、正の表面電荷を有し、５０ｎｍ〜２００ｎｍの範囲の平均粒径を有し、およびＰＥＧ化した脂質部分を含む。
【請求項１２】
癌、神経外傷、若しくは神経変性疾患若しくは状態の治療に使用されるための、請求項１から１０のいずれかに記載のＰＡＲＰ阻害剤製剤、又は請求項１１に記載の徐放性製剤。
【請求項１３】
ナノ粒子ＰＡＲＰ阻害剤製剤を調製する方法であって、以下の工程を含む：
（ａ）両性イオン性リン脂質、カチオン性脂質、コレステロール、ＰＥＧ化した脂質、及び有機溶媒に溶解したＰＡＲＰ阻害剤を含有する混合物を提供する工程；
（ｂ）前記混合物から溶媒を除去することによって、乾燥脂質フィルムを調製する工程；
（ｃ）ＰＡＲＰ阻害剤を含有する水和した脂質構造物の懸濁液を形成する水溶液で脂質膜を水和する工程；
（ｄ）前記サスペンションを超音波処理する工程； および
（ｅ）ナノ粒子PARP阻害剤製剤を得るために、ナノ多孔質膜に、超音波処理した懸濁液を通す工程。
【請求項１４】
前記（ｅ）工程において調製されたナノ粒子製剤が、ＰＡＲＰ阻害剤を含む脂質ベシクルの形体であって、前記脂質ベシクルが、正の表面荷電を有し、５０ｎｍ〜２００ｎｍの平均直径を有する、請求項１３の方法。
【請求項１５】
（ｂ）工程で用いられる水溶液が、追加の医薬品を含む、請求項１３の方法。
【手続補正書】
【提出日】平成29年8月25日(2017.8.25)
【手続補正１】
【補正対象書類名】特許請求の範囲
【補正対象項目名】全文
【補正方法】変更
【補正の内容】
【特許請求の範囲】
【請求項１】
微粒子化した胎盤組織の成分と、任意に、生物学的に適合可能なフィラーと、１つまたは複数のキレート部分とを含む組成物であって、前記キレート部分が、前記胎盤組織の成分および／または前記フィラーと共有結合している、組成物。
【請求項２】
前記胎盤組織の成分および／またはフィラーが、同種間で架橋している、請求項１に記載の組成物。
【請求項３】
前記胎盤組織の成分および／またはフィラーが、別種間で架橋している、請求項１に記載の組成物。
【請求項４】
前記フィラーが、前記組成物中に存在しており、かつ生物学的に適合可能なポリマーである、請求項１に記載の組成物。
【請求項５】
前記生物学的に適合可能なポリマーが、コラーゲン、ヒアルロン酸（ｈｙｌａｕｒｏｎｉｃ  ａｃｉｄ）、および可塑剤からなる群から選択される、請求項４に記載の組成物。
【請求項６】
前記１つまたは複数のキレート部分が、前記胎盤組織の成分および／またはフィラーを架橋する、請求項１に記載の組成物。
【請求項７】
前記キレート部分が、前記胎盤組織の成分および／またはフィラーを架橋しない、請求項１に記載の組成物。
【請求項８】
薬学的に許容可能な賦形剤をさらに含む、請求項１に記載の組成物。
【請求項９】
薬理学的に活性のある金属イオンの治療有効量が、前記１つまたは複数のキレート部分にキレート化されている、請求項１に記載の組成物。
【請求項１０】
前記薬理学的に活性のある金属イオンが、抗癌剤である、請求項１０に記載の組成物。
【請求項１１】
前記抗癌剤が、白金のイオンを含む、請求項１１に記載の組成物。
【請求項１２】
前記抗癌剤がシスプラチンである、請求項１２に記載の組成物。
【請求項１３】
前記組成物が、前記金属イオンの徐放を提供する、請求項１０に記載の組成物。
【請求項１４】
前記組成物が成形されている、請求項１に記載の組成物。
【請求項１５】
前記微粒子化した胎盤組織の成分が、微粒子化した羊膜である、請求項１〜１５のいずれか１項に記載の組成物。
【請求項１６】
微粒子化した絨毛膜、ホウォートンゼリー、および／または微粒子化した中間組織層をさらに含む、請求項１６に記載の組成物。
【請求項１７】
前記微粒子化した胎盤組織の成分が、微粒子化した絨毛膜である、請求項１〜１５のいずれか１項に記載の組成物。
【請求項１８】
固形腫瘍の処置後の前記腫瘍の再発または転移を阻止するのに使用するための請求項１〜１７のいずれか１項に記載の組成物。
【手続補正書】
【提出日】平成29年5月30日(2017.5.30)
【手続補正１】
【補正対象書類名】特許請求の範囲
【補正対象項目名】全文
【補正方法】変更
【補正の内容】
【特許請求の範囲】
【請求項１】
遷移金属含有触媒の影響下で、１５０℃から３５０℃までの温度で、イタコン酸、シトラコン酸、メサコン酸、クエン酸、アコニット酸、イソクエン酸、及びそれらの混合物から成る群から選択された酸を備える出発物質を、０．１当量から３．０当量までの塩基に接触させることによって、メタクリル酸又はその塩を作製する方法。
【請求項２】
前記触媒が不均一な触媒である、請求項１に記載の方法。
【請求項３】
前記触媒が支持体によって担持された金属または塩の形態の前記遷移金属を備える、請求項２に記載の方法。
【請求項４】
前記支持体が、アルミナ、炭素、硫酸バリウム、及びシリカから成る群から選択される、請求項３に記載の方法。
【請求項５】
前記遷移金属が金属の形態である、請求項１から４のいずれか１項に記載の方法。
【請求項６】
前記遷移金属含有触媒が、元素の周期表の６族、７族、８族、９族、１０族、及び１１族内の１以上の元素を含む、請求項１から５のいずれか１項に記載の方法。
【請求項７】
前記遷移金属が、ロジウム、ニッケル、パラジウム、白金、金、及びタングステンから成る群から選択される、請求項６に記載の方法。
【請求項８】
前記温度が２００℃から３００℃までの範囲内である、請求項１から７のいずれか１項に記載の方法。
【請求項９】
前記温度が２２５℃から２７５℃までの範囲内である、請求項５又は６に記載の方法。
【請求項１０】
前記遷移金属含有触媒の前記遷移金属がルテニウムであり、前記温度が２００℃から２２５℃までの範囲内である、請求項１から８のいずれか１項に記載の方法。
【請求項１１】
前記塩基が０．８当量から１．２当量までの範囲内存在する、請求項１から１０のいずれか１項に記載の方法。
【請求項１２】
圧力を印加することなく圧力容器内で行われる、請求項１から１１のいずれか１項に記載の方法。
【請求項１３】
前記出発物質が、炭水化物発酵プロセスから得られるブロス、農業食品産業のメインストリーム及びサイドストリームとして得られる液体ストリームから選択される未加工の液体であり、前記酸が前記未加工の液体からメタクリル酸に直接変換される、請求項１から１２のいずれか１項に記載の方法。
【請求項１４】
前記遷移金属は塩の形態にある、請求項１又は２に記載の方法。
【手続補正書】
【提出日】平成29年8月18日(2017.8.18)
【手続補正１】
【補正対象書類名】特許請求の範囲
【補正対象項目名】全文
【補正方法】変更
【補正の内容】
【特許請求の範囲】
【請求項１】
単離又は組換え製造ペプチダーゼＤ（ＰＥＰＤ）及び少なくとも１種の薬学的に許容されるキャリアを含む、ＥｒｂＢ２陽性癌の予防及び／又は治療に使用するための医薬製剤。
【請求項２】
前記ＰＥＰＤが、融合タンパク質の構成成分である、請求項１に記載の医薬製剤。
【請求項３】
前記融合タンパク質が、前記ＰＥＰＤとポリヒスチジンタグを含む、請求項２に記載の医薬製剤。
【請求項４】
前記ＰＥＰＤが、化学療法剤に結合されている、請求項１に記載の医薬製剤。
【請求項５】
前記融合タンパク質が、前記ＰＥＰＤ及び免疫グロブリンのＦｃ領域を含む、請求項２に記載の医薬製剤。
【請求項６】
前記ＰＥＰＤが、配列番号１の配列を有するＰＥＰＤと比べて、より少ないジペプチド加水分解活性を有する、請求項１に記載の医薬製剤。
【請求項７】
前記ＰＥＰＤが、配列番号１の２７８位におけるグリシンの変異を有する、請求項６に記載の医薬製剤。
【請求項８】
さらに凝固阻害剤を含む、請求項１に記載の医薬製剤。
【請求項９】
ＥｒｂＢ２陽性癌の予防及び／又は治療に使用するための製品であって、ペプチダーゼＤ（ＰＥＰＤ）含有医薬製剤を含む少なくとも１つの密封容器を含み、
当該製品は、前記医薬製剤が、個体におけるＥｒｂＢ２陽性癌の予防及び／又は治療に使用するためのものである表示を提供する印刷物を含む、
ＥｒｂＢ２陽性癌の予防及び／又は治療に使用するための製品。
【請求項１０】
前記ＰＥＰＤが、配列番号１の配列を有するＰＥＰＤと比べて、より少ないジペプチド加水分解活性を有する、請求項９に記載の製品。
【請求項１１】
さらに凝固阻害剤、及び／又は、前記医薬製剤が凝固阻害剤と併用するためのものである表示を含む、請求項９に記載の製品。
【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
癌を治療する方法であって、癌を有する患者に治療上効果的な量のグリアジンペプチドを投与することを含み、ここで前記グリアジンペプチドはＳＥＱ  ＩＤ  ＮＯ：１に記載されたアミノ酸配列を含み、前記癌が非小細胞肺癌及び膵臓癌からなる群から選択される、上記方法。
【請求項２】
治療上効果的な量の少なくとも１種類の化学療法剤を併用投与することをさらに含む、請求項１に記載の方法。
【請求項３】
少なくとも１種類の前記化学療法剤が受容体チロシンキナーゼ阻害剤である、請求項２に記載の方法。
【請求項４】
前記グリアジンペプチドがα−グリアジンペプチド３１〜５５、３１〜４９、ならびにこれらの誘導体およびフラグメントからなる群から選択される、請求項１に記載の方法。
【請求項５】
前記受容体チロシンキナーゼ阻害剤が上皮細胞増殖因子受容体（ＥＧＦＲ）阻害剤である、請求項３に記載の方法。
【請求項６】
前記ＥＧＦＲ阻害剤がゲフィチニブである、請求項５に記載の方法。
【請求項７】
前記ＥＧＦＲ阻害剤がエルロチニブである、請求項５に記載の方法。
【請求項８】
グリアジンペプチドと受容体チロシンキナーゼ阻害剤を併用投与することが、受容体チロシンキナーゼ阻害剤に対する癌細胞の耐性を低下させる又は阻害するために有効である、請求項３に記載の方法。
【請求項９】
患者がヒトである、請求項１に記載の方法。
【請求項１０】
前記患者がＥＧＦＲ阻害剤に対する感受性を増加することが知られているＥＧＦＲ遺伝子に変異を有さない、請求項５に記載の方法。
【請求項１１】
グリアジンペプチドと少なくとも１種類の前記化学療法剤を併用投与することが、化学療法剤に対する癌細胞の耐性を低下させる又は阻害するために有効である、請求項２に記載の方法。
【請求項１２】
グリアジンペプチドと少なくとも１種類の前記化学療法剤を併用投与することが、化学療法剤による治療効果を増加させるために有効である、請求項２に記載の方法。
【請求項１３】
前記化学療法剤が最初に投与される、請求項１１に記載の方法。
【請求項１４】
前記化学療法剤がアザシチジン、アキサチオプリン、ベバシズマブ、ブレオマイシン、カペシタビン、カルボプラチン、クロラブシル、シスプラチン、シクロホスファミド、シタラビン、ダウノルビシン、ドセタキセル、ドキシフルリジン、ドキソルビシン、エピルビシン、エトポシド、フルオロウラシル、ゲムシタビン、（トラスツズマブ）ハーセプチン、イダルビシン、メクロレタミン、メルファラン、メルカプトプリン、メトトレキサート、ミトキサントロン、オキサリプラチン、パクリタキセル、タフルポシド、テニポシド、チオグアニン、レチノイン酸、バルルビシン、ビンブラスチン、ビンクリスチン、ビンデシン、ビノレルビン、アファチニブ、アキシチニブ、カネルチニブ、セディラニブ、エルロチニブ、ゲフィチニブ、グランジニン、イマチニブ、ラパチニブ、レフルノミド、レスタウルチニブ、ネラチニブ、パゾパニブ、クイザルチニブ、レゴラフェニブ、セマクサニブ、ソラフェニブ、スニチブ、（スニチニ）スーテント、チボザニブ、トセラニブ、バンデタニブ、バタラニブ、およびこれらの組合せからなる群から選択される、請求項２に記載の方法。
【請求項１５】
グリアジンが、経口、筋肉内、静脈内、呼吸／吸入、および皮下からなる群から選択された投与経路によって投与されることを含む、請求項１に記載の方法。
【手続補正書】
【提出日】平成29年4月24日(2017.4.24)
【手続補正１】
【補正対象書類名】特許請求の範囲
【補正対象項目名】全文
【補正方法】変更
【補正の内容】
【特許請求の範囲】
【請求項１】
式：
【化１】
2016529207.tif 000001
［式中、
それぞれのＲは、互いに独立して、水素原子、又はメチル基若しくはエチル基を表すが、但し、前記Ｒ基のうち少なくとも１つはメチル基又はエチル基を表すものとする；及び
Ｒ1は、メチル基又はエチル基を表す］
で示される化合物であって、その立体異性体のうちのいずれか１つ又はそれらの混合物の形態である、前記化合物。
【請求項２】
１−（（１ＲＳ，４ＳＲ，６ＲＳ）−５，６−ジメチル−１，２，３，４，４ａ，５，６，７−オクタヒドロ−１，４−メタノナフタレン−６−イル）エタノンであることを特徴とする、請求項１に記載の化合物。
【請求項３】
請求項１又は２に定義された式（Ｉ）の化合物の、賦香成分としての使用。
【請求項４】
ｉ）請求項１又は２に定義された式（Ｉ）の少なくとも１種の化合物；
ｉｉ）香料担体及び香料ベースからなる群から選択される少なくとも１種の成分；並びに
ｉｉｉ）任意に、少なくとも１種の香料補助剤
を含有する、賦香組成物。
【請求項５】
請求項１又は２に定義された式（Ｉ）の少なくとも１種の化合物を含む、賦香消費製品。
【請求項６】
香料、布地ケア製品、ボディケア製品、エアケア製品又はホームケア製品であることを特徴とする、請求項５に記載の賦香消費製品。
【請求項７】
ファインパフューム、コロン、アフターシェーブローション、液体洗剤、固形洗剤、布地用柔軟剤、ファブリックリフレッシャー、アイロニングウォーター、紙、漂白剤、シャンプー、カラーリング調製物、ヘアスプレー、バニシングクリーム、脱臭剤若しくは制汗剤、着香石鹸、シャワームース、シャワーオイル、シャワージェル、バスムース、バスオイル、バスジェル、衛生製品、エアフレッシュナー、「すぐに使用できる」粉末状エアフレッシュナー、ワイプ、食器用洗剤、又は硬質表面用洗剤であることを特徴とする、請求項６に記載の賦香消費製品。
【手続補正２】
【補正対象書類名】明細書
【補正対象項目名】００４７
【補正方法】変更
【補正の内容】
【００４７】
１−（５，６−ジメチル−１，２，３，４，４ａ，５，６，７−オクタヒドロ−１，４−メタノナフタレン−６−イル）エタノール
上で得られた１−５，６−ジメチル−１，２，３，４，４ａ，５，６，７−オクタヒドロ−１，４−メタノナフタレン−６−イル）エタノン（粗ケトン）（６００ｍｇ、２．７５ｍｍｏｌ）のジエチルエーテル（３ｍＬ）中溶液を、ジエチルエーテル（７ｍＬ）中のＬｉＡｌＨ4（５２ｍｇ、１．３８ｍｍｏｌ）の撹拌懸濁液に、周囲温度で添加した。２時間後、この懸濁液を氷浴及び水（５０ｍＬ）中で冷却し、その後、１５％ＮａＯＨ水溶液（５２ｍＬ）を、その後に水１５６ｍＬを順次添加し、次いで無水硫酸ナトリウム（１００ｍｇ）を添加し、白色の懸濁液を周囲温度でさらに３０分間撹拌し、その後ろ過し、溶媒を真空中で除去した。０．１ｍｂａｒ、１６０℃でのバルブツーバルブ蒸留（クーゲルロール）によりさらに精製することにより、前記アルコールが得られた（純度：９２％、立体異性体の混合物の形態、その際、４つの主要な立体異性体は１０：４７：１０：３のパーセンテージで存在する、収率＝７５％）。
【手続補正書】
【提出日】平成29年6月29日(2017.6.29)
【手続補正１】
【補正対象書類名】特許請求の範囲
【補正対象項目名】全文
【補正方法】変更
【補正の内容】
【特許請求の範囲】
【請求項１】
インターフェロンアンタゴニストと、標的部分とを含む融合タンパク質を含む組成物であって、
前記インターフェロンアンタゴニストは、Ｒ１２０Ｅ変異を含むヒトＩＦＮα２であり、
前記標的部分は、拮抗的活性の細胞特異的標的化を提供する抗体または抗体様分子からなる、組成物。
【請求項２】
前記標的部分は、ラクダ重鎖抗体の可変ドメイン（ＶＨＨ）を含む、請求項１に記載の組成物。
【請求項３】
前記標的部分は、癌細胞のマーカーを特異的に標的とする、請求項１または２に記載の組成物。
【請求項４】
前記標的部分は、免疫細胞のマーカーを特異的に標的とする、請求項１〜３のいずれか１項に記載の組成物。
【請求項５】
前記標的部分は、レプチン受容体を特異的に標的とする、請求項１に記載の組成物。
【請求項６】
前記標的部分は、ＣＤ２０を特異的に標的とする、請求項１に記載の組成物。
【請求項７】
前記ヒトＩＦＮα２は、インターフェロンアゴニストの結合活性を低下させる第二の変異を含む、請求項１に記載の組成物。
【請求項８】
前記第二の変異は、Ｒ１４９ＡおよびＬ１５３Ａのいずれかである、請求項７に記載の組成物。
【請求項９】
サイトカインアンタゴニストと標的部分を含む融合タンパク質を含む組成物であって、
前記サイトカインアンタゴニストは、Ｒ１２０ＥおよびＬ１５３Ａ変異のヒトＩＦＮα２を含み、
前記標的部分は、ＣＤ２０に特異的に標的化されたラクダ重鎖抗体の可変ドメイン（ＶＨＨ）を含む、組成物。
【請求項１０】
自己免疫疾患の治療に使用するための、請求項１〜９のいずれか１項に記載の組成物。
【請求項１１】
前記インターフェロンアンタゴニストと前記標的部分を連結するためのリンカーをさらに含む、請求項１〜１０のいずれか１項に記載の組成物。
【手続補正書】
【提出日】平成29年6月21日(2017.6.21)
【手続補正１】
【補正対象書類名】特許請求の範囲
【補正対象項目名】全文
【補正方法】変更
【補正の内容】
【特許請求の範囲】
【請求項１】
少なくとも３つのヒト型結核菌（Ｍｔｂ）抗原を含む融合タンパク質であって、
少なくとも１つの急性Ｍｔｂ抗原、少なくとも１つの潜伏Ｍｔｂ抗原及び少なくとも１つの蘇生Ｍｔｂ抗原；または
少なくとも２つの潜伏Ｍｔｂ抗原及び少なくとも１つの蘇生Ｍｔｂ抗原
を含む、該融合タンパク質。
【請求項２】
前記急性Ｍｔｂ抗原が、Ａｇ８５Ｂ、ＥＳＡＴ６、ＭＰＴ６４、ＰＰＥ１５、ＰＰＥ５１またはＲｖ３６１５ｃであり；
前記潜伏Ｍｔｂ抗原が、Ｒｖ１７３３ｃ、Ｒｖ２６２６ｃ、Ｒｖ３４０７またはＲｖ２６２８ｃであり；及び
前記蘇生Ｍｔｂ抗原が、ＲｐｆＢ、ＲｐｆＤまたはＲｐｆＥである；
請求項１に記載の融合タンパク質。
【請求項３】
Ｒｖ１７３３ｃの第１及び／または第２の膜貫通領域が欠失される、請求項２に記載の融合タンパク質。
【請求項４】
前記融合タンパク質が少なくとも４つのヒト型結核菌（Ｍｔｂ）抗原を含む、請求項１〜３のいずれか一項に記載の融合タンパク質。
【請求項５】
ＥＳＡＴ６−Ｒｖ１７３３ｃ−Ｒｖ２６２６ｃ−ＲｐｆＤ；
ＥＳＡＴ６−Ｒｖ１７３３ｃ−Ｒｖ２６２６ｃ−ＲｐｆＢ；
ＲｐｆＢ−ＥＳＡＴ６−Ｒｖ１７３３ｃ−Ｒｖ２６２６ｃ；
Ａｇ８５Ｂ−ＥＳＡＴ６−Ｒｖ１７３３ｃ−Ｒｖ２６２６ｃ−ＲｐｆＤ；
Ａｇ８５Ｂ−ＥＳＡＴ６−Ｒｖ１７３３ｃ−Ｒｖ２６２６ｃ−ＲｐｆＢ；
ＰＰＥ５１−Ｒｖ１７３３ｃ−Ｒｖ２６２８ｃ−ＲｐｆＤ；
ＰＰＥ５１−Ｒｖ１７３３ｃ−Ｒｖ２６２８ｃ−ＲｐｆＢ；
Ｒｖ３４０７−Ｒｖ１７３３ｃ−Ｒｖ２６２６ｃ−ＲｐｆＢ；または
Ｒｖ３４０７−Ｒｖ１７３３ｃ−Ｒｖ２６２６ｃ−ＲｐｆＤ
を含む、請求項１〜４のいずれか一項に記載の融合タンパク質。
【請求項６】
請求項１〜５のいずれか一項に記載の融合タンパク質をコードするベクター。
【請求項７】
前記ベクターがウイルスベクターである、請求項６に記載のベクター。
【請求項８】
前記ベクターが、アデノウイルス４、アデノウイルス５、チンパンジーアデノウイルス３、チンパンジーアデノウイルス６３、チンパンジーアデノウイルス６８、改変ワクシニアＡｎｋａｒａ（ＭＶＡ）、改変パラインフルエンザウイルス（ＰＩＶ２）、または組換えヒトパラインフルエンザウイルス（ｒＨＰＩＶ２）である、請求項７に記載のベクター。
【請求項９】
請求項６〜８のいずれか一項に記載の発現ベクターを含む細胞。
【請求項１０】
前記細胞が組換えＢＣＧである、請求項９に記載の細胞。
【請求項１１】
請求項１〜５のいずれか一項に記載の融合タンパク質、請求項６〜８のいずれか一項に記載のベクター、または請求項９もしくは請求項１０に記載の細胞、及び薬学的に許容される担体を含む組成物。
【請求項１２】
少なくとも３つのヒト型結核菌（Ｍｔｂ）抗原を含む組成物であって、
少なくとも１つの急性Ｍｔｂ抗原、少なくとも１つの潜伏Ｍｔｂ抗原及び少なくとも１つの蘇生Ｍｔｂ抗原；または
少なくとも２つの潜伏Ｍｔｂ抗原及び少なくとも１つの蘇生Ｍｔｂ抗原
を含む、該組成物。
【請求項１３】
前記急性Ｍｔｂ抗原が、Ａｇ８５Ｂ、ＥＳＡＴ６、ＭＰＴ６４、ＰＰＥ１５、ＰＰＥ５１またはＲｖ３６１５ｃであり；
前記潜伏Ｍｔｂ抗原が、Ｒｖ１７３３ｃ、Ｒｖ２６２６ｃ、Ｒｖ３４０７またはＲｖ２６２８ｃであり；及び
前記蘇生Ｍｔｂ抗原が、ＲｐｆＢ、ＲｐｆＤまたはＲｐｆＥである；
請求項１２に記載の組成物。
【請求項１４】
Ｒｖ１７３３ｃの第１及び／または第２の膜貫通領域が欠失される、請求項１３に記載の組成物。
【請求項１５】
前記組成物が少なくとも４つのヒト型結核菌（Ｍｔｂ）抗原を含む、請求項１２〜１４のいずれか一項に記載の組成物。
【請求項１６】
ＥＳＡＴ６、Ｒｖ１７３３ｃ、Ｒｖ２６２６ｃ及びＲｐｆＤ  Ｍｔｂ抗原；
ＥＳＡＴ６、Ｒｖ１７３３ｃ、Ｒｖ２６２６ｃ及びＲｐｆＢ  Ｍｔｂ抗原；
ＲｐｆＢ、ＥＳＡＴ６、Ｒｖ１７３３ｃ及びＲｖ２６２６ｃ  Ｍｔｂ抗原；
Ａｇ８５Ｂ、ＥＳＡＴ６、Ｒｖ１７３３ｃ、Ｒｖ２６２６ｃ及びＲｐｆＤ  Ｍｔｂ抗原；
Ａｇ８５Ｂ、ＥＳＡＴ６、Ｒｖ１７３３ｃ、Ｒｖ２６２６ｃ及びＲｐｆＢ  Ｍｔｂ抗原；
ＰＰＥ５１、Ｒｖ１７３３ｃ、Ｒｖ２６２８ｃ及びＲｐｆＤ  Ｍｔｂ抗原；
ＰＰＥ５１、Ｒｖ１７３３ｃ、Ｒｖ２６２８ｃ及びＲｐｆＢ  Ｍｔｂ抗原；
Ｒｖ３４０７、Ｒｖ１７３３ｃ、Ｒｖ２６２６ｃ及びＲｐｆＢ  Ｍｔｂ抗原；または
Ｒｖ３４０７、Ｒｖ１７３３ｃ、Ｒｖ２６２６ｃ及びＲｐｆＤ  Ｍｔｂ抗原
を含む、請求項１２〜１５のいずれか一項に記載の組成物。
【請求項１７】
１つまたは複数のベクター内の１つまたは複数の核酸分子によって少なくとも２つのＭｔｂ抗原がコードされる、請求項１２〜１６のいずれか一項に記載の組成物。
【請求項１８】
前記１つまたは複数のベクターが１つまたは複数のウイルスベクターである、請求項１７に記載の組成物。
【請求項１９】
前記ベクターが、アデノウイルス４、アデノウイルス５、チンパンジーアデノウイルス３、チンパンジーアデノウイルス６３、チンパンジーアデノウイルス６８、改変ワクシニアＡｎｋａｒａ（ＭＶＡ）、改変パラインフルエンザウイルス（ＰＩＶ２）、または組換えヒトパラインフルエンザウイルス（ｒＨＰＩＶ２）である、請求項１８に記載の組成物。
【請求項２０】
ヒト型結核菌感染の治療または防止のための医薬品の調製における、請求項１〜５のいずれか一項に記載の融合タンパク質の使用。
【請求項２１】
前記ベクターが融合タンパク質をコードする、請求項２０に記載の使用。
【請求項２２】
前記ベクターがウイルスベクターである、請求項２１の使用。
【請求項２３】
前記ベクターが、アデノウイルス４、アデノウイルス５、チンパンジーアデノウイルス３、チンパンジーアデノウイルス６３、チンパンジーアデノウイルス６８、改変ワクシニアＡｎｋａｒａ（ＭＶＡ）、改変パラインフルエンザウイルス（ＰＩＶ２）、または組換えヒトパラインフルエンザウイルス（ｒＨＰＩＶ２）である、請求項２２に記載の使用。
【請求項２４】
前記ベクターが細胞内に存在する、請求項２１〜２３のいずれか一項に記載の使用。
【請求項２５】
前記細胞が組換えＢＣＧである、請求項２４に記載の使用。
【請求項２６】
前記医薬品が、エアロゾルの形態である、請求項２０に記載の使用。
【請求項２７】
ヒト型結核菌感染の治療または防止のための医薬品の調製における、請求項１１〜１９のいずれか一項に記載の組成物の使用。
【請求項２８】
前記医薬品が、エアロゾルの形態である、請求項２７に記載の使用。
【手続補正書】
【提出日】平成29年6月30日(2017.6.30)
【手続補正１】
【補正対象書類名】特許請求の範囲
【補正対象項目名】全文
【補正方法】変更
【補正の内容】
【特許請求の範囲】
【請求項１】
一次抗体領域へと挿入された第１伸長融合領域を含む免疫グロブリン融合タンパク質であって、該第１伸長融合領域は、治療剤およびアルファヘリックスの二次構造を含む第１伸長ペプチドを含む、免疫グロブリン融合タンパク質。
【請求項２】
第１伸長ペプチドが、ウシ超長ＣＤＲ３アミノ酸配列の７つを超える連続するアミノ酸を含まないことを特徴とする、請求項１に記載の免疫グロブリン融合タンパク質。
【請求項３】
一次抗体領域が可変領域を含み、第１伸長融合領域が可変領域へと挿入されることを特徴とする、請求項１に記載の免疫グロブリン融合タンパク質。
【請求項４】
第１伸長融合領域が、可変領域の相補性決定領域（ＣＤＲ）へと挿入されることを特徴とする、請求項３に記載の免疫グロブリン融合タンパク質。
【請求項５】
第１伸長融合領域は、一次抗体領域が由来する抗体の一部に取って代わることを特徴とする、請求項１に記載の免疫グロブリン融合タンパク質。
【請求項６】
第１伸長融合領域が、第２伸長ペプチドを含むことを特徴とする、請求項１に記載の免疫グロブリン融合タンパク質。
【請求項７】
第２伸長ペプチドが、アルファヘリックスの二次構造を含むことを特徴とする、請求項６に記載の免疫グロブリン融合タンパク質。
【請求項８】
第１伸長ペプチドおよび第２伸長ペプチドが、コイルドコイルを形成するように構成されることを特徴とする、請求項７に記載の免疫グロブリン融合タンパク質。
【請求項９】
第２治療剤をさらに含むことを特徴とする、請求項１に記載の免疫グロブリン融合タンパク質。
【請求項１０】
一次抗体領域が由来する抗体が、ＳＥＱ ＩＤ ＮＯ：１９−３６および２７１−２７３のいずれか１つに少なくとも約９０％相同であるアミノ酸配列を含むことを特徴とする、請求項５に記載の免疫グロブリン融合タンパク質。
【請求項１１】
一次抗体領域が由来する抗体が、トラスツズマブ免疫グロブリンのアミノ酸配列に少なくとも約９０％相同であるアミノ酸配列を含むことを特徴とする、請求項５に記載の免疫グロブリン融合タンパク質。
【請求項１２】
一次抗体領域が由来する抗体が、パリビズマブ免疫グロブリンのアミノ酸配列に少なくとも約９０％相同であるアミノ酸配列を含むことを特徴とする、請求項５に記載の免疫グロブリン融合タンパク質。
【請求項１３】
二次抗体領域をさらに含むことを特徴とする、請求項１に記載の免疫グロブリン融合タンパク質。
【請求項１４】
第１伸長ペプチドが、ＳＥＱ ＩＤ ＮＯ：１４４−１７５のいずれか１つのアミノ酸配列に少なくとも約８０％相同であるアミノ酸配列を含むことを特徴とする、請求項１に記載の免疫グロブリン融合タンパク質。
【請求項１５】
第２伸長ペプチドが、ＳＥＱ ＩＤ ＮＯ：１４４−１７５のいずれか１つのアミノ酸配列に少なくとも約８０％相同であるアミノ酸配列を含むことを特徴とする、請求項６に記載の免疫グロブリン融合タンパク質。
【請求項１６】
第１治療剤が、ＳＥＱ ＩＤ ＮＯ：２２７−２６７のいずれか１つのアミノ酸配列に少なくとも約８０％相同であるアミノ酸配列を含むことを特徴とする、請求項１に記載の免疫グロブリン融合タンパク質。
【請求項１７】
第１治療剤が、ＳＥＱ ＩＤ ＮＯ：２２７−２６７のいずれか１つから１０以上の連続するアミノ酸を含むことを特徴とする、請求項１に記載の免疫グロブリン融合タンパク質。
【請求項１８】
必要としている被験体における疾患または疾病の処置に使用するための請求項１乃至１７のいずれかに記載の免疫グロブリン融合タンパク質であって、該免疫グロブリン融合タンパク質が、治療上有効な量で被験体に投与される、免疫グロブリン融合タンパク質。
【請求項１９】
疾患または疾病が、カリウム電位依存性チャネルの変調によって処置されることを特徴とする、請求項１８に記載の免疫グロブリン融合タンパク質。
【請求項２０】
疾患または疾病が、自己免疫性疾患及び／又は自己免疫性に関連する疾患であることを特徴とする、請求項１８または１９に記載の免疫グロブリン融合タンパク質。
【手続補正書】
【提出日】平成29年7月12日(2017.7.12)
【手続補正１】
【補正対象書類名】明細書
【補正対象項目名】発明の名称
【補正方法】変更
【補正の内容】
【発明の名称】受容体媒介クリアランスが減少した、生理活性ポリペプチド単量体と免疫グロブリンＦｃ断片との結合体及びその製造方法
【手続補正書】
【提出日】平成29年7月26日(2017.7.26)
【手続補正１】
【補正対象書類名】特許請求の範囲
【補正対象項目名】全文
【補正方法】変更
【補正の内容】
【特許請求の範囲】
【請求項１】
データ通信のための方法であって、
第1のレーンの第1のレベルの遅延セルの出力として1つまたは複数のクロック信号のバージョンの間で選択するステップであって、前記1つまたは複数のクロック信号の前記バージョンが、第1のクロック信号の少なくとも2つのバージョンを含み、前記第1のクロック信号の各バージョンが、前記第1のクロック信号に関して異なる遅延を被る、ステップと、
前記第1のレーンの前記第1のレベルの遅延セルの前記出力を、第2および第3のレーン内の第2のレベルの遅延セルに供給するステップと、
前記第1のレーンの第2のレベルの遅延セルの出力を供給するために、前記第1のレーンの前記第1のレベルの遅延セルの前記出力と、前記第2および第3のレーンの第1のレベルの遅延セルの出力との間で選択することによって、通信リンク上のデータの送信を制御するために使用されるルートクロックを供給するステップと
を含む、方法。
【請求項２】
前記第1のレーンが、1つまたは複数のデータレーンのトランジスタ経路に整合するトランジスタ経路を有する、請求項1に記載の方法。
【請求項３】
前記第1のレーンならびに前記第2および第3のレーンが、対応するデータレーン内で使用されるべきクロックを供給し、前記第1のレーンの前記第1のレベルの遅延セル用の入力、および前記第1のレーン内の第2のレベルの遅延セル用の前記入力が、前記ルートクロックと前記第2および第3のレーンによって供給される前記クロックとの間のスキューを最小化するように選択される、請求項1に記載の方法。
【請求項４】
前記第1のレーンならびに前記第2および第3のレーンが、対応するデータレーン内で使用されるべきクロックを供給し、前記第2および第3のレーンの第1のレベルの遅延セル用の入力、ならびに前記第2および第3のレーンの第2のレベルの遅延セル用の前記入力が、前記ルートクロックと前記第2および第3のレーンによって供給される前記クロックとの間のスキューを最小化するように選択される、請求項1に記載の方法。
【請求項５】
前記第1のレーンならびに前記第2および第3のレーンが、対応するデータレーン内で使用されるべきクロックを供給し、前記第2および第3のレーンの第1のレベルの遅延セル用の入力、ならびに前記第2および第3のレーンの第2のレベルの遅延セル用の前記入力が、前記ルートクロックに関連付けられたデータレーンと前記第2および第3のレーンによって供給される前記クロックに関連付けられたデータレーンとの間のスキューを最小化するように選択される、請求項1に記載の方法。
【請求項６】
前記通信リンクが、差動符号化されたデータ信号およびクロック信号を備える、請求項1に記載の方法。
【請求項７】
前記通信リンクが、第1の集積回路(IC)デバイスを第2のICデバイスと通信可能に結合する、請求項1に記載の方法。
【請求項８】
前記1つまたは複数のクロック信号が、第1の複数の遅延素子のうちの1つまたは複数によって遅延する左クロック信号と、第2の複数の遅延素子のうちの1つまたは複数によって遅延する右クロック信号とを含み、前記第1の複数の遅延素子が、IC上の第1のデータレーンの左側に配置されたいくつかのデータレーンに対応するいくつかの遅延素子を含み、前記第2の複数の遅延素子が、前記第1のデータレーンの右側に配置されたいくつかのデータレーンに対応するいくつかの遅延素子を含む、請求項1に記載の方法。
【請求項９】
前記第1のレーンの前記第1のレベルの遅延セルの出力として前記1つまたは複数のクロック信号のバージョンの間で選択するステップが、
前記左クロック信号と前記右クロック信号との間で選択するステップ
を含む、請求項8に記載の方法。
【請求項１０】
前記第1のレーンの前記第1のレベルの遅延セルの出力として前記1つまたは複数のクロック信号のバージョンの間で選択するステップが、
第1のレベルの遅延セルごとにアクティブクロッキングモードと電源断モードとの間で選択するステップ
を含む、請求項8に記載の方法。
【請求項１１】
前記ルートクロックの供給に寄与しない1つまたは複数の遅延セルの電源を切断するステップ
をさらに含む、請求項1に記載の方法。
【請求項１２】
第1の集積回路(IC)デバイスを第2のICデバイスと通信可能に結合する通信リンクに対するインターフェースと、
第1のクロックレーンの第1のレベルの遅延セルの出力として1つまたは複数のクロック信号のバージョンの間で選択するための手段であって、前記1つまたは複数のクロック信号の前記バージョンが、第1のクロック信号の少なくとも2つのバージョンを含み、前記第1のクロック信号の各バージョンが、前記第1のクロック信号に関して異なる遅延を被る、手段と、
前記第1のクロックレーンの出力としてルートクロックを供給するための手段であって、前記ルートクロックが前記通信リンク上でデータを送信するために使用される、手段と
を備え、
前記ルートクロックを供給するための前記手段が、第1のレーンの第2のレベルの遅延セルの出力を供給するために、前記第1のクロックレーンの前記第1のレベルの遅延セルの前記出力と、複数の他のクロックレーンの第1のレベルの遅延セルの出力との間で選択するように構成される、
装置。
【請求項１３】
前記第1のクロックレーンが、1つまたは複数のデータレーン内の対応するトランジスタ経路に整合するトランジスタ経路を有する、請求項12に記載の装置。
【請求項１４】
前記ルートクロックおよび前記複数の他のクロックレーンによって供給される出力クロックが、対応するデータレーン内で使用され、前記第1のクロックレーンの前記第1のレベルの遅延セル用の入力、および前記第1のクロックレーン内の第2のレベルの遅延セル用の前記入力が、前記ルートクロックと前記複数の他のクロックレーンによって供給される前記出力クロックとの間のスキューを最小化するように、または前記ルートクロックと前記複数の他のクロックレーンによって供給される前記出力クロックとの間のスキューを最小化するように、あるいは前記ルートクロックに関連付けられたデータレーンと前記複数の他のクロックレーンによって供給される前記出力クロックに関連付けられたデータレーンとの間のスキューを最小化するように、選択される、請求項12に記載の装置。
【請求項１５】
前記1つまたは複数のクロック信号が、第1の複数の遅延素子のうちの1つまたは複数によって遅延する左クロック信号と、第2の複数の遅延素子のうちの1つまたは複数によって遅延する右クロック信号とを含み、前記第1の複数の遅延素子が、IC上の第1のデータレーンの左側に配置されたいくつかのデータレーンに対応するいくつかの遅延素子を含み、前記第2の複数の遅延素子が、前記第1のデータレーンの右側に配置されたいくつかのデータレーンに対応するいくつかの遅延素子を含み、前記1つまたは複数のクロック信号のバージョンの間で選択するための前記手段が、前記第1のクロック信号として前記左クロック信号または前記右クロック信号を選択するように構成された論理手段を含む、請求項12に記載の装置。